(57)【要約】【課題】遊技球に三次元的な斬新な動きをさせ遊技の興趣を高めるようにする遊技機を提供すると共に遊技盤面の内・外側ガイドレールを不要にして遊技部を広くし表示装置の大型化による弊害を払拭するようにした遊技機を提供することを目的とする。【解決手段】遊技盤２の遊技部１０前面が透明板３０で覆われる遊技機Ｐであって、透明板３０の裏側に該透明板３０を前方へ膨出させると共にその裏側を蓋部材３３ａ，３３ｂによって塞ぐことにより透明板３０と蓋部材３３ａ，３ｂとの間に下端と上端とがそれぞれ開口３４ａ，３４ｂ，３５ａ，３５ｂする球通路３１ａ，３１ｂを設け、一方の開口３４ｂ，３５ａから球通路３１ａ，３１ｂ内に入って転動する遊技球Ｂを他方の開口３４ａ，３５ｂから遊技部１０に排出するようにした。【選択図】図２
2006341000.tif 000002
【特許請求の範囲】
【請求項１】
遊技盤の遊技部前面が透明板で覆われる遊技機であって、前記透明板の裏側に該透明板を前方へ膨出させると共にその裏側を蓋部材によって塞ぐことにより前記透明板と前記蓋部材との間に下端と上端とがそれぞれ開口する球通路を設け、前記一方の開口から前記球通路内に入って転動する遊技球を前記他方の開口から前記遊技部に排出するようにしたことを特徴とする遊技機。
【請求項２】
前記蓋部材に前記球通路内を転動する遊技球が途中で抜け出て前記遊技部へ排出される球抜き口を開設した請求項１記載の遊技機。
【請求項３】
前記蓋部材の前面には、前記球抜き口における下側縁に前方へ突出して前記球通路内を転動する遊技球を受け止め前記球抜き口に導くガイド片を突設した請求項２記載の遊技機。
【請求項４】
遊技盤の遊技部前面が透明板で覆われる遊技機であって、前記透明板の裏側に該透明板を前方へ膨出させることにより下端と上端とがそれぞれ開口する球通路を設けてなり、前記下端の開口は打球発射部と連通し、前記打球発射部から発射される遊技球を前記下端の開口から前記球通路内に導き前記上端の開口から前記遊技部に排出するようにしたことを特徴とする遊技機。
【請求項５】
前記遊技盤の遊技部前側に前記球通路上端の開口から排出される遊技球を受ける球受部材を配置し、前記球受部材は内壁面が下方に進むに従い漸次前記遊技部前面に近づくように傾斜し、その下端縁と前記遊技部前面との間に遊技球が通過し得る寸法の球落下口を設けた請求項４記載の遊技機。
【発明の詳細な説明】
【技術分野】
【０００１】
本発明は、遊技盤の遊技部前面が透明板で覆われる遊技機であって、該透明板の裏側に該透明板を前方へ膨出させて下端と上端とが開口する球通路を設けた遊技機に関するものである。
【背景技術】
【０００２】
従来、例えば、遊技機の一種であるパチンコ遊技機は、遊技盤の前面に外側ガイドレールと内側ガイドレールが渦巻状に敷設され、両内・外側ガイドレールにより囲われるようにして遊技部が成形される。遊技部には、表示装置、一般入賞口、風車といった所謂盤面部品が装着されている。また、前記外側ガイドレールの始端部はファール球排出口を介して発射レールと連なっている。そして、前記発射レールの打球発射部から発射された遊技球は、前記内側ガイドレールと外側ガイドレールとの間に成形される球誘導通路に沿って飛走し、その上端開口から遊技部前面に放出されるようになっている（例えば、特許文献１参照。）。
【特許文献１】特開２００１−１４９５９５号公報（第２頁段落０００６、図１）
【発明の開示】
【発明が解決しようとする課題】
【０００３】
しかしながら、前記特許文献１のパチンコ遊技機にあって、遊技部に排出された遊技球は、遊技盤面に沿ってほぼ平面的に流下するのみであって、変化に乏しくマンネリ化しており、斬新な動きをして遊技の興趣が高められる妙案が期待されている。
【０００４】
また、近時、パチンコ遊技機にあっては、遊技盤のほぼ中央に表示装置を配置、その下方には遊技球が入賞することにより前記表示装置の表示部の情報を変動させる始動入賞口、更にその下方には前記表示部の情報が特定の情報（例えば、「７，７，７」）に揃ったとき一定の条件の下で開閉扉を開き一度に多くの入賞球が得られる大型の入賞装置を配置したパチンコ遊技機が人気を博している。しかしながら、この種のパチンコ遊技機にあっては、遊技の興趣を高めることから前記表示装置がどんどん大型化し、このため、遊技部前面における表示装置の周囲の設置スペースが極めて狭くなってきており、盤面部品を設置するに非常に苦慮している。これは、遊技盤面に内・外側ガイドレールを敷設して遊技部を成形すると共に内・外側ガイドレール間に球誘導通路を設けているからであって、仮に、この内・外側ガイドレールが共に取り外せれば遊技部が広くなって前記課題に対処し易い。
【０００５】
そこで、本発明はこれら課題に鑑みてなされたもので、遊技球を遊技盤面に沿った方向とは異なる三次元的な方向へ導き斬新な動きをさせて遊技の興趣を高めると共に、下端の開口を打球発射部と連通させ該打球発射部から発射された遊技球を球通路を介して上端の開口から遊技部に排出させることにより内・外側ガイドレールを不要にして遊技部を広くし表示装置の大型化による弊害を払拭するようにした遊技機を提供することを目的とするものである。
【課題を解決するための手段】
【０００６】
かかる目的を達成するため、請求項１記載の遊技機は、遊技盤の遊技部前面が透明板で覆われる遊技機であって、透明板の裏側に該透明板を前方へ膨出させると共にその裏側を蓋部材によって塞ぐことにより透明板と蓋部材との間に下端と上端とがそれぞれ開口する球通路を設け、一方の開口から前記球通路内に入って転動する遊技球を他方の開口から前記遊技部に排出するようにしたことを特徴とする。
【０００７】
請求項２記載の遊技機は、この際、前記蓋部材に前記球通路内を転動する遊技球が途中で抜け出て前記遊技部へ排出される球抜き口を開設することを特徴とする。
【０００８】
請求項３記載の遊技機は、前記蓋部材の前面には、前記球抜き口における下側縁に前方へ突出して前記球通路内を転動する遊技球を受け止め前記球抜き口に導くガイド片を突設することを特徴とする。
【０００９】
また、請求項４記載の遊技機は、遊技盤の遊技部前面が透明板で覆われる遊技機であって、透明板の裏側に該透明板を前方へ膨出させることにより下端と上端とがそれぞれ開口する球通路を設けてなり、下端の開口は打球発射部と連通し、前記打球発射部から発射される遊技球を下端の開口から前記球通路内に導き上端の開口から遊技部に排出するようにしたことを特徴とする。
【００１０】
請求項５記載の遊技機は、この際、前記遊技盤の遊技部前側に前記球通路上端の開口から排出される遊技球を受ける球受部材を配置し、前記球受部材は内壁面が下方に進むに従い漸次遊技部前面に近づくように傾斜し、その下端縁と遊技部前面との間に遊技球が通過し得る寸法の球落下口を設けたことを特徴とする。
【発明の効果】
【００１１】
請求項１記載の遊技機にあっては、透明板の裏側に下端と上端とがそれぞれ開口する球通路を設け、一方の開口から球通路内に入って転動する遊技球を他方の開口から遊技部に排出するようにしたので、該遊技球に変化が与えられ三次元的な斬新な動きをすることにより遊技の興趣が高められるという効果がある。
【００１２】
請求項２記載の遊技機にあっては、蓋部材に球抜き口を設けるようにしたので、球通路内を転動する遊技球が偶然に抜け出て遊技部へ排出されることになって、更なる変化が与えられ、遊技の興趣が一層向上する。
【００１３】
請求項３記載の遊技機にあっては、蓋部材の前面であって球抜き口の下側縁にガイド片を突設するようにしたので、球通路内を転動する遊技球が受け止めれら球抜き口に入り易くなって遊技の興趣が一層向上する。
【００１４】
請求項４記載の遊技機にあっては、透明板の裏側に下端の開口が打球発射部と連通するようにしたので、打球発射部から発射された遊技球は球通路に誘導されて遊技部に排出されることとなる。よって、前記のように遊技球に変化が与えられ遊技の興趣が高められるばかりか、遊技盤面に敷設される内・外側ガイドレールが不要になり、遊技部が広げられることから表示装置の大型化に十分対処することができる。しかも、その周囲の盤面部品の設置スペースも十分に確保され、盤面部品の取付が容易にできるという効果がある。
【００１５】
請求項５記載の遊技機にあっては、遊技盤の遊技部前側に球通路上端の開口から排出される遊技球を受ける球受部材を配置し、該球受部材を介して遊技球を遊技部前面に落下させるようにしたので、該球受部材に受けられた遊技球を散らせて落下させることができ、遊技盤面の損傷も少なくなりメンテナンスが容易になるという効果がある。
【発明を実施するための最良の形態】
【００１６】
以下、本発明に係る遊技機の実施の形態を図面に基づき説明する。本発明が適用される遊技機には、例えば、パチンコ遊技機、アレンジボール機、雀球遊技機等があるが、この内、パチンコ遊技機について説明する。図１は本発明が適用されるパチンコ遊技機の斜視図、図２は同透明板保持枠と前板を開いた状態の斜視図である。
【００１７】
パチンコ遊技機Ｐは、縦長方形枠状の外枠１を有し、該外枠１に一側を軸着して遊技盤２を設置した本体枠３が開閉自在に装着されている。本体枠３の上部には、一側を軸着して遊技盤２の前面に配置される透明板保持枠４が装着される。また、その下方に後記する打球発射部１９に打球として供給される遊技球を貯留するための上球皿５を上部前面に装着した前板６が装着される。更に、該前板６の下部前面には、前記上球皿５から溢れる遊技球を貯留する下球皿７が装着されている。前記本体枠３の下部前面の一側に打球の打球力を調節するための操作ハンドル８が装着されている。
【００１８】
前記遊技盤２は、合成樹脂材（例えば、ＡＢＳ樹脂又はＰＣ樹脂又はＰＭＭＡ樹脂）により一体に成形され、図３に示すようにほぼ方形状の平板状をなす遊技盤本体２ａと、同じ合成樹脂材（例えば、ＡＢＳ樹脂又はＰＣ樹脂又はＰＭＭＡ樹脂）により一体に成形され、前記遊技盤本体２ａより一回り小さく該遊技盤本体２ａの裏面に密着するようにして取着される貼合板２ｂとからなる。そして、遊技盤本体２ａには、外周縁全周に沿って遊技盤本体２ａを囲うように補強用のリブ９が一体に突設されている。
【００１９】
この補強用のリブ９は、図４に示すように表側と裏側とへ同一面上にかつ遊技盤本体２ａに対し直角に突出する断面Ｔ字型に設けられ、全体的には断面Ｈ字型に成形される。ただ、遊技盤本体２ａの前側下部の補強用リブ９ａは、中央部を挟んだ両側の上面がそれぞれ中央に向かうに従って下傾している。これはその上面に載る遊技球をアウト球として中央に寄せ後記するアウト球口１４に流入させるためである。また、図３に示されるように遊技盤本体２ａに向かって左下隅角部には、上面が内側に下傾する屈曲部９ｂが設けられている。
【００２０】
なお、図では、遊技盤本体２ａの外周縁に沿って突設されるリブ９を断面Ｔ字型に成形したが、この形状に限定されるものではなく、例えば、表側又は裏側に突出する断面Ｌ字型など反りを生じない所要の強度を持った形状であれば他の形状であっても良い。
【００２１】
この遊技盤２にあっては、周囲を補強用のリブ９で囲われる遊技盤本体２ａ前面がすべて遊技部１０とされる。そして、該遊技部１０である遊技盤本体２ａのほぼ中央に大型の表示装置１１が装着され、その下方に遊技球が入賞することにより前記表示装置１１の表示部１１ａの情報を変動させる始動入賞口１２が装着され、更に、その下方には前記表示部１１ａの表示が特定の情報（例えば、「７，７，７」）に揃ったとき一定の条件の下で開閉扉１３ａを開き一度に多くの入賞球が得られる大型の入賞装置１３が装着されている。遊技盤本体２ａの中央最下端部であって補強用のリブ９の中央にアウト球口１４が開設される。
【００２２】
また、遊技盤本体２ａにはその表面に所定のゲージに合わせて無数の障害釘１５が突設されるが、総ての障害釘１５は遊技盤本体２ａに開設された釘取付孔１６にその裏側から嵌入して取り付けられるようになっている。釘取付孔１６内には後方に太径孔部１６ａが設けられ該太径孔部１６ａは内周面が多角形状（例えば、横断面四角形）に成形される。また、前記障害釘１５の後部に前記太径孔部１６ａに嵌合する同じく多角形状（例えば、横断面四角形）の太径部１５ａが設けられ、これらが互いに嵌合することにより、障害釘１５が回転することなくしっかりと固定される。
【００２３】
貼合板２ｂは縦長方形状の平板からなり、遊技盤本体２ａの裏面で両側辺部のリブ９，９間に嵌り込む程度の横幅を有する。その上・下側縁に沿ってそれぞれ裏側へ直角に折れ曲る補強用のリブ１７，１７が一体に設けられる。そして、例えば、遊技盤本体２ａ裏面に接着剤を塗布又は溶着して貼合板２ｂが接合される。なお、遊技盤２は、透明な合成樹脂材又は不透明な合成樹脂材のいずれによって成形しても良いが、本発明にあっては、遊技盤２を不透明な合成樹脂材により成形している。そこで、遊技盤本体２ａの表面に、このパチンコ遊技機Ｐに相応しい装飾模様を描いたセル板１８が接着層を介して貼着されている。
【００２４】
また、前記遊技盤本体２ａと貼合板２ｂを透明な合成樹脂材（例えば、ＡＢＳ樹脂又はＰＣ樹脂又はＰＭＭＡ樹脂）により成形したときは、遊技盤本体２ａと貼合板２ｂとの間にセル板１８を介装することが好ましい。これにより、セル板１８の表面が遊技盤本体２ａにより覆われて、キズが付きにくく常に綺麗な状態を保持できる。
【００２５】
このように、遊技盤２は遊技盤本体２ａの補強用のリブ９で囲われる前面すべてが遊技部１０となるので、遊技盤面に渦巻状のガイドレールを敷設したタイプのものに比較して遊技部１０が極めて広く取れる。よって、大型化する表示装置１１に十分対応できるばかりか、その周囲に配置される始動入賞口１２、入賞装置１３などの盤面部品の設置スペースも十分に確保される。
【００２６】
図２に示すように前記本体枠３の下部前面であって、その一側面に打球発射部１９が設けられる。該打球発射部１９には、側壁１９ａと該側壁１９ａから遊技球が下方へ通過し得ずに停止する間隔を離して設けられる球止部２０とが配設されている。また、打球発射部１９の下方に打球発射装置２１が配設される。該打球発射装置２１は、プランジャ２２ａ先端が上方へ突出するソレノイド２２が備えられている。
【００２７】
そして、ソレノイド２２が消磁しているときは、プランジャ２２ａに巻装されるスプリング２２ｂにより該プランジャ２２ａが下降してその上端が打球発射部１９から離れている。一方、ソレノイド２２が励磁すると、スプリング２２ｂの付勢に抗しプランジャ２２ａが上昇してその先端が打球発射部１９内に突入し、その位置にある遊技球を発射させるようになっている。打球発射部１９の上方には、その一側に発射されても遊技部１０に放出されずに戻ってくる遊技球をファール球として下球皿７へ排出する戻り球通路２３が分岐して設けられ、該分岐部に可撓性を有した戻り球誘導片２４が設けられている。前板６の裏側には、上球皿５に貯留される遊技球を前記打球発射部１９へ１個ずつ供給する打球供給装置２５が配置されている。
【００２８】
前記透明板保持枠４は、窓孔２６が開設された縁枠２７と、該縁枠２７の裏面に装着され前記窓孔２６を覆う透明板ユニット２８とからなる。透明板ユニット２８は、前記窓孔２６より一回り大きい支持枠２９の前後面にそれぞれＰＭＭＡ樹脂製の一対の透明板３０，３０を貼り合せてなり、両透明板３０は平行に配置され、内部はほぼ密閉状に成形される。
【００２９】
そして、本発明は、前記外側透明板３０と内側透明板３０の両側であって、その一部をほぼ同じ間隔に保って前方へ膨出させ、内側透明板３０の裏側にそれぞれ球通路３１ａ，３１ｂが設けられる。表示部１１ａに向かって右側に位置する球通路３１ａは、図５、図７に示すように開放する裏側であってその両側縁に段部３２ａ、３２ａが設けられ、両段部３２ａ，３２ａに両端部を嵌め込み接着するようにして前記開放する裏側を塞ぐ同材質の透明な蓋部材３３ａが取付けられる。この蓋部材３３ａは球通路３１ａ内の前側の内側面、すなわち内側透明板３０の内面とほぼ平行となるように成形される。
【００３０】
前記球通路３１ａの下端部では、蓋部材３３ａの下端が内側透明板３０の裏面から遊技球の直径寸法程度離れている。これにより、球通路３１ａの下端に開口３４ａが開設される。また、上端部でも、蓋部材３３ａの上端が内側透明板３０の裏面から遊技球の直径寸法程度離れており、球通路３１ａの上端に開口３５ａが開設される。蓋部材３３ａの上端には、遊技部１０を流下する遊技球を球通路３１ａ内に導く誘導片４０が設けられる。これにより、図７に示すように遊技部１０を流下する遊技球であって誘導片４０に誘導される遊技球Ｂは、上端の開口３５ａから球通路３１ａ内に入って転動しつつ下降し、下端の開口３４ａから再び遊技部１０に排出される。このように、遊技球Ｂを遊技盤２面以外の通路を通過させることにより、該遊技球Ｂに変化が与えられ三次元的な斬新な動きをすることになり、これにより遊技の興趣が高められる。
【００３１】
また、前記蓋部材３３ａに、遊技球Ｂが通過し得る球抜き口４１が複数個ランダムに開設される。該各球抜き口４１の下縁には、蓋部材３３ａの前側と裏側とに突出するガイド片４２が設けられている。これにより、球通路３１ａ内を転動する遊技球であって偶然にガイド片４２に受けられた遊技球Ｂは、球抜き口４１から抜け出て裏面すなわち遊技部１０前面に排出されるので、遊技球Ｂの動作に更なる変化が与えられ、遊技の興趣が一段と高まる。ちなみに、図８に示すように前記特定の球抜き口４１の下縁の裏側に突出するガイド片４２を例えば遊技部１０に配設された入賞口４３に臨ませるようにして、前記特定の球抜き口４１から裏側へ抜け出た遊技球Ｂを前記入賞口４３へ導いて入賞させる構成を採っても良い。前記入賞口４３には、遊技盤２面に直接装着される前記一般の入賞口４３の他に図示は省略するが、大型の入賞装置の側部に付設される入賞口、表示装置１１の外周に装着され遊技球を表示装置１１の前側下部に設けられる段状のステージ部に導く所謂ワープ通路の入り口がある。
【００３２】
一方、表示部１１ａに向かって左側に位置する球通路３１ｂは、図５、図６、図１０に示すように開放する裏側であってその両側縁に段部３２ｂ、３２ｂが設けられ、両段部３２ｂ，３２ｂに両端部を嵌め込み接着するようにして前記開放する裏側を塞ぐ同材質の透明な蓋部材３３ｂが取付けられる。この蓋部材３３ｂも球通路３１ｂ内の前側の内側面、すなわち内側透明板３０の内面とほぼ平行となるように成形される。
【００３３】
そして、前記球通路３１ｂの下端部では、蓋部材３３ｂの下端が内側透明板３０の裏面から遊技球の直径寸法程度離れている。これにより、球通路３１ｂの下端に開口３４ｂが開設される。この場合、該開口３４ｂは、前記打球発射部１９と連通し、その周囲には蓋部材３３ｂの前面に前記打球発射部１９から発射される遊技球を球通路３１ｂに流入し易いようにガイドするガイド片３６が設けられている。
【００３４】
一方、前記球通路３１ｂの上端部では、遊技盤本体２ａの前面と対向して開口３５ｂが開設される。この際、遊技球が排出される方向は遊技盤本体２ａの前面とほぼ平行になるように球通路３１ｂの上部が成形される。また、該上端の開口３５ｂの上縁に沿って内側透明板３０に、そこから遊技部１０へ排出される遊技球が円滑に飛走するように誘導部３７が設けられる。また、上端の開口３５ｂの一側に該開口３５ｂに臨む戻り球防止片３８が取着される。この戻り球防止片３８は、例えば弾力性のある薄いステンレス板により成形される。これら球通路３１ａ，３１ｂにあっては、支障のない限りにおいて敢えて蓋部材３３ａ，３３ｂを取着する必要はない。ただ、これらの場合、ガイド片３６や誘導片４０を本体枠３又は遊技盤２面側に設けるようにする。
【００３５】
本発明に係るパチンコ遊技機Ｐは上記構成からなり、図９、図１０に示すように打球発射部１９から発射された遊技球Ｂは、戻り球誘導片２４を押し退けて上昇し、下端の開口３４ｂから表示部１１ａに向かって左側の球通路３１ｂ内に流入する。そして、該球通路３１ｂ内を上方へ飛走して上端の開口３５ｂから遊技部１０へ排出され、遊技部１０の盤面を流下して例えば始動入賞口１２に入賞するなどして遊技が進行する。打球発射部１９から発射されても球通路３１ｂの途中で上昇する力を失い逆戻りする遊技球は、戻り球誘導片２４により戻り球通路２３に誘導され、下球皿７に排出される。
【００３６】
また、遊技部１０の前面を流下する遊技球の内、上端の開口３５ａから表示部１１ａに向かって右側の球通路３５ａに入った遊技球Ｂは、球通路３１ａ内を転動して流下し、そのまま下端の開口３４ａから遊技部１０に排出されるか、途中、ガイド片４２に受けられいずれかの球抜き口４１から裏側へ抜け出て遊技部１０に排出される。
【００３７】
このように、本発明は、透明板３０の裏側に下端と上端とがそれぞれ開口される球通路３１ａ，３１ｂを設け、一方の開口３４ｂ，３５ａから球通路３１ａ，３１ｂ内に入って転動する遊技球Ｂを他方の開口３４ａ，３５ｂから遊技部１０に排出するようにしたので、該遊技球Ｂに変化が与えられ三次元的な斬新な動きをすることにより遊技の興趣が高められる。
【００３８】
また、球通路３１ｂ下端の開口３４ｂを打球発射部１９と連通させ、打球発射部１９から発射された遊技球Ｂを球通路３１ｂを介して遊技部１０に導くようにすれば、遊技盤面に敷設される内・外側ガイドレールが不要になる。よって、従来の内・外ガイドレールの外側の所謂デッドスペースが有効的に利用でき遊技部１０が広げられる。よって、表示装置１１の大型化に十分対応できるばかりか、盤面ゲージの自由度も広がり盤面部品の設置スペースも十分に確保され、遊技の興趣を高める上においても有益である。
【００３９】
図１１、図１２は他の実施の形態に係るパチンコ遊技機を示すものである。なお、このパチンコ遊技機Ｐ１は、本実施の形態に係るパチンコ遊技機Ｐとほとんど同じ構成からなるので、同一部位は同一番号を付すことにより詳しい説明は省略する。パチンコ遊技機Ｐ１は、遊技盤２の前面上部に表示部１１ａに向かって左側の球通路３１ｂの上端の開口３５ｂから放出される遊技球を受け止める球受部材５１が配置される。該球受部材５１は横長の平板状に成形され、両端部に取付板部５２が屈曲させて設けられ、遊技盤２の前面にビス５３止めされる。また、球受部材５１の内壁面５１ａが下方に進むに従い漸次遊技盤２の前面に近づくように傾斜し、その下端縁と前記遊技盤２の前面との間に遊技球Ｂが通過し得る寸法の球落下口５４が設けられている。
【００４０】
この遊技盤２によれば、球通路３１ｂ上端の開口３５ｂから排出される遊技球Ｂは、球受部材５１の内壁面５１ａに受けられて転動し、球落下口５４のいずれかの位置から下方へ落下する。これによれば、上端の開口３５ｂから放出される遊技球Ｂが常に球受部材５１の内壁面５１ａに当たり遊技球Ｂを散らせることができるので、遊技盤２の前面の損傷も少なくなり、メンテナンスが容易になる。
【００４１】
また、図示は省略するが、前記球受部材５１の他の構成として、例えば上面が中央部に向かって下傾し、その中央部に球落下口を設けるようにしても良い。更に、水平な上面に波状の複数の凹凸を設け、各凹部の最下部に球落下口を設けるようにしても良い。更にまた、水平な上面に波状の複数の凹凸を設け、各凹部の最下部に電気的駆動源により球落下口が遊技盤２の前面と平行な面内で左右に揺動する揺動部材を軸着し、いずれかの揺動部材の球落下口から遊技球を落下させるようにしても良い。
【００４２】
本発明においては、前記透明板３０をＰＭＭＡ樹脂板により成形したが、ガラス板またはＰＣ樹脂板など他の硬い素材の透明板により成形するようにしても良い。
【図面の簡単な説明】
【００４３】
【図１】本発明が適用されるパチンコ遊技機の斜視図。
【図２】同透明板保持枠と前板を開いた状態の斜視図。
【図３】遊技盤の斜視図。
【図４】図３のＸ−Ｘ線断面図。
【図５】透明盤ユニットの裏から見た分解斜視図。
【図６】同球通路部位の拡大平面断面図。
【図７】パチンコ遊技機の作用を示す一部の側面断面図。
【図８】他の実施の形態に係るパチンコ遊技機の作用を示す一部の側面断面図。
【図９】パチンコ遊技機の作用を示す一部の正面図。
【図１０】パチンコ遊技機の作用を示す一部の側面断面図。
【図１１】他の実施の形態に係るパチンコ遊技機の作用を示す一部の正面図。
【図１２】同パチンコ遊技機の作用を示す一部の側面断面図。
【符号の説明】
【００４４】
２                  遊技盤
１０                遊技部
１９                打球発射部
３０                透明板
３１ａ，３１ｂ      球通路
３３ａ，３３ｂ      下端の開口
３５ａ，３５ｂ      上端の開口
４１                球抜き口
４２                ガイド片
５１                球受部材
５１ａ              内壁面
５４                球落下口
Ｂ                  遊技球
Ｐ，Ｐ１            遊技機（パチンコ遊技機）
【図１】
2006341000.tif 000003
【図２】
2006341000.tif 000004
【図３】
2006341000.tif 000005
【図４】
2006341000.tif 000006
【図５】
2006341000.tif 000007
【図６】
2006341000.tif 000008
【図７】
2006341000.tif 000009
【図８】
2006341000.tif 000010
【図９】
2006341000.tif 000011
【図１０】
2006341000.tif 000012
【図１１】
2006341000.tif 000013
【図１２】
2006341000.tif 000014